(57)【要約】【課題】  マイタソーとテーブルソーとの切替と切込量調整とを簡単且つスムーズな動作で行う。【解決手段】  本体１１を下死点で固定する固定機構３０を、支持アーム９へ回転可能に軸着される揺動アーム３１と、両端が揺動アーム３１の長アーム３２と本体１１のブレードカバー１２とに夫々軸着されて軸方向の長さを変更可能な調節ロッド３９と、揺動アーム３１の短アーム３３に設けられ、本体１１の下死点で支持アーム９に設けられたロック孔２２に任意に係合可能なロックピンとから形成して、揺動アーム３１側でのロックピンとロック孔２２との係脱の選択によってマイタソーとテーブルソーとの使用を切替可能とする一方、調節ロッド３９の長さの変更により、テーブルソーでのテーブル３からの鋸刃１５の突出量を調整可能とした。【選択図】  図３
2006044066.tif 000002
【特許請求の範囲】
【請求項１】
ベースと、そのベース上で１８０°反転可能に支持される水平なテーブルと、そのテーブルの片面側に設けられた支持アームへ上下動可能に軸着され、回転駆動する鋸刃を備えた本体と、その本体と前記支持アームとの間に設けられ、前記鋸刃が前記テーブルを貫通する前記本体の下死点で前記本体を固定可能な固定機構とを備え、
前記本体が上側となる前記テーブルの位置では、前記本体の下降操作により前記鋸刃で前記テーブル上の被切断材を切断するマイタソーとして使用可能とする一方、前記固定機構により前記本体が下死点で固定された状態で前記本体が下側となる前記テーブルの位置では、前記テーブルを貫通して上方へ露出する前記鋸刃に対して被切断材をスライドさせて切断するテーブルソーとして使用可能としたフリップオーバーソーであって、
前記固定機構を、前記支持アームへ上下方向で回転可能に連結されて両端が自由端となる揺動アームと、その揺動アームの一方の自由端に一端が回転可能に連結され、他端が、前記支持アームにおける前記本体の支軸と前記本体における前記鋸刃の中心とを結ぶ直線よりも上方位置で回転可能に連結されて軸方向の長さを変更可能な調節ロッドと、前記揺動アームの他方の自由端に前記支持アーム側へ出没可能に設けられ、前記本体の下死点での突出により、前記支持アームに設けられた被係合部に係合可能なロックピンとから形成して、
前記ロックピンと被係合部との係脱の選択によって前記マイタソーとテーブルソーとの使用を切替可能とする一方、前記調節ロッドの長さの変更により、前記テーブルソーでの前記テーブルからの前記鋸刃の突出量を調整可能としたことを特徴とするフリップオーバーソー。
【請求項２】
ロックピンを揺動アーム内で回転可能に設けて支持アーム側への突出方向へ付勢する一方、前記揺動アームに、前記ロックピンの第一の回転位置での干渉により前記揺動アームからの突出を許容する第一の干渉部と、前記ロックピンの第二の回転位置での干渉により前記揺動アームからの突出を規制する第二の干渉部とを設けて、前記ロックピンの前記２つの回転位置への切替操作によって被係合部との係脱を選択可能とした請求項１に記載のフリップオーバーソー。
【請求項３】
調節ロッドを、ねじスリーブと、そのねじスリーブへ同軸で螺合されるねじロッドとから形成して、前記ねじロッドの回転操作で軸方向の長さを変更可能とする一方、揺動アームの自由端に設けた連結スリーブに前記ねじロッドを回転可能且つ軸方向への移動を規制した状態で遊挿させることで、前記調節ロッドと揺動アームとを連結すると共に、前記連結スリーブ内に、前記ねじロッドの外面で半径方向に形成された孔に嵌入して前記ねじロッドの回転をガイドするコロを設けた請求項１又は２に記載のフリップオーバーソー。
【発明の詳細な説明】
【技術分野】
【０００１】
本発明は、回転駆動する鋸刃を備えた本体を上下動可能に支持したテーブルを、ベース上で１８０°反転可能に支持させて、本体を上にしたテーブル位置ではマイタソーとして、本体を下にして鋸刃をテーブル上に突出させたテーブル位置ではテーブルソーとして夫々使用可能としたフリップオーバーソーに関する。
【背景技術】
【０００２】
フリップオーバーソーは、四角台状のベース上に、テーブルをその中間部位を支点として１８０°反転可能に水平支持して、両面何れを上にしても固定可能とする一方、テーブルの片面側に、モータによって回転駆動する鋸刃を備えた本体を上下動可能に軸着して、本体が上になるテーブル位置では、テーブル上に載置した被切断材に対して本体を下降させて切断するマイタソー（卓上丸鋸盤）として使用可能となっている。そして、本体を、鋸刃がテーブルを貫通して下側に突出する下死点でテーブル上に固定し、その状態で本体が下になるテーブル位置とすれば、テーブル上に露出する鋸刃に対して被切断材をスライドさせて切断するテーブルソーとして使用可能となる。
【０００３】
このようなフリップオーバーソーにおいては、テーブルソーとして使用する場合に本体を下死点で固定する固定機構が設けられるが、この固定機構は、被切断材の厚さに対応できるように、下死点の位置を調整することで、テーブル上の鋸刃の突出量（被切断材に対する切込量）を調整可能となっている。このような固定機構としては、特許文献１に示すように、本体と、本体を軸支する受台との間に、ねじスピンドル及びねじスリーブからなる支承手段を架設すると共に、本体側に、支承手段の所定の旋回位置で嵌合する滑り案内部材を内設した接続ブロックを設けて、滑り案内部材とねじスリーブとの嵌合で本体を下死点で固定可能とし、支承手段の長さを変更することで、下死点を変更可能とした構造が知られている。
【０００４】
【特許文献１】独国特許発明第４０１０４５６号明細書
【発明の開示】
【発明が解決しようとする課題】
【０００５】
上記固定機構においては、支承手段のねじスリーブに対して接続ブロックが直交方向に連結され、支承手段の長さ変更と本体の下死点ロックとを同じ位置で行う構造となっている。よって、ねじスリーブに下死点ロック用の嵌合孔を形成したり、接続ブロックに滑り案内部材を内設する保持スリーブを設けたりする構造となって複雑化し、コストアップに繋がる。また、保持スリーブ内をねじスリーブが直交状に貫通して摺動する構造であるため、寸法誤差や摩擦等によって動作性が悪くなり、本体の上下動作等に影響が生じるおそれもある。
【０００６】
そこで、請求項１に記載の発明は、固定機構をより簡単な構造で形成でき、良好な動作性も確保できるフリップオーバーソーを提供することを目的としたものである。
【課題を解決するための手段】
【０００７】
上記目的を達成するために、請求項１に記載の発明は、固定機構を、支持アームへ上下方向で回転可能に連結されて両端が自由端となる揺動アームと、その揺動アームの一方の自由端に一端が回転可能に連結され、他端が、支持アームにおける本体の支軸と本体における鋸刃の中心とを結ぶ直線よりも上方位置で回転可能に連結されて軸方向の長さを変更可能な調節ロッドと、揺動アームの他方の自由端に支持アーム側へ出没可能に設けられ、本体の下死点での突出により、支持アームに設けられた被係合部に係合可能なロックピンとから形成して、ロックピンと被係合部との係脱の選択によってマイタソーとテーブルソーとの使用を切替可能とする一方、調節ロッドの長さの変更により、テーブルソーでのテーブルからの鋸刃の突出量を調整可能としたことを特徴とするものである。
【０００８】
請求項２に記載の発明は、請求項１の目的に加えて、マイタソーとテーブルソーとの切替操作をより簡単に行うために、ロックピンを揺動アーム内で回転可能に設けて支持アーム側への突出方向へ付勢する一方、揺動アームに、ロックピンの第一の回転位置での干渉により揺動アームからの突出を許容する第一の干渉部と、ロックピンの第二の回転位置での干渉により揺動アームからの突出を規制する第二の干渉部とを設けて、ロックピンの２つの回転位置への切替操作によって被係合部との係脱を選択可能としたものである。
請求項３に記載の発明は、請求項１又は２の目的に加えて、調節ロッドの長さの変更を良好な操作性でスムーズに行うために、調節ロッドを、ねじスリーブと、そのねじスリーブへ同軸で螺合されるねじロッドとから形成して、ねじロッドの回転操作で軸方向の長さを変更可能とする一方、揺動アームの自由端に設けた連結スリーブにねじロッドを回転可能且つ軸方向への移動を規制した状態で遊挿させることで、調節ロッドと揺動アームとを連結すると共に、連結スリーブ内に、ねじロッドの外面で半径方向に形成された孔に嵌入してねじロッドの回転をガイドするコロを設けたものである。
【発明の効果】
【０００９】
請求項１に記載の発明によれば、本体の下死点でのロックが、調節ロッドとは別に揺動アームと支持アームとの間で行われる。よって、調節ロッドに余計な構成が付加されず、揺動アーム自体も簡単な軸着構造で足り、構成が簡略化してコストアップも少なくなる。また、揺動アームは、本体の上下動に伴う単純な回転動作で支持アームに係脱できるため、揺動アームや調節ロッドの動作がスムーズとなり、良好な動作性も確保可能となる。
請求項２に記載の発明によれば、請求項１の効果に加えて、ロックピンの第一の回転位置では本体の下死点で自動的にロックピンが被係合部に係合してロックがなされる。よって、マイタソーとテーブルソーとの切替がロックピンの回転操作のみで済み、切替操作がより簡単になって使い勝手に優れる。
請求項３に記載の発明によれば、請求項１又は２の効果に加えて、調節ロッドの長さを変更する際のねじロッドの回転がコロによってスムーズにガイドされ、良好な操作性が確保できる。
【発明を実施するための最良の形態】
【００１０】
以下、本発明の実施の形態を図面に基づいて説明する。
図１は、フリップオーバーソーの一例を示す全体図、図２はその平面図で、フリップオーバーソー１は、平面矩形状の台であるベース２と、ベース２の上部に設けられるテーブル３と、テーブル３に設けられる鋸刃ユニット４とからなる。テーブル３は、左右方向（図１，２での右側を前方とする）の回転軸５，５を中心に１８０°反転可能に支持され、ストッパ機構６によってテーブル３の両面何れを上にしても水平状態で固定可能となっている。また、テーブル３には、円形のターンテーブル７が水平回転可能に設けられると共に、そのターンテーブル７上を横切る格好で回転軸５と平行にガイドフェンス８が立設されている。
【００１１】
鋸刃ユニット４は、ターンテーブル７の後方に立設された支持アーム９と、その支持アーム９の上端で支軸１０によって上下動可能に支持される本体１１とを備え、本体１１のハウジングとなるブレードカバー１２の左側方には、モータ１３とハンドル１４とが設けられて、ブレードカバー１２内に、モータ１３によって回転駆動する円盤状の鋸刃１５が設けられている。また、本体１１は、支軸１０に設けた図示しないトーションスプリングによって、図１の上死点へ付勢されており、ハンドル１４を保持して下方へ押し下げることで、本体１１を、鋸刃１５がターンテーブル７の中央に設けた図示しないスリットを貫通する下死点まで下降させることができる。１６は、本体１１の上死点では鋸刃１５を覆う位置にあり、本体１１の下降に伴って回転して鋸刃１５を露出させる安全カバーである。
【００１２】
支持アーム９は、図３にも示すように、ターンテーブル７の後方へ突設された固定部１７へ前後方向のロックボルト１８によって軸着され、そのロックボルト１８に遊挿される円弧状のスリット１９（図４）により、ロックボルト１８を中心として本体１１ごと右方向へ傾倒可能となっており、任意の傾倒位置でレバー２０によって固定することで、鋸刃１５に垂直方向の角度を付与可能となっている。この本体１１の傾倒により、ターンテーブル７上の被切断材に対して傾斜切断が行える。
一方、ターンテーブル７は、ハンドル１４を把持して旋回操作することで、本体１１と共に水平回転が可能となる。このターンテーブル７の水平回転角度の選択により、鋸刃１５がガイドフェンス８と直交する直角切断位置と、そこから水平方向で傾斜する角度切断とが可能となる。
【００１３】
そして、このフリップオーバーソー１は、本体１１を下死点で固定してテーブル３を反転させることで、鋸刃１５のみをテーブル３の上方へ突出させることができ、テーブル３上で被切断材をスライドさせて切断を行うテーブルソーとして使用可能となる。よって、本体１１側には、本体１１を下死点で固定するための固定機構３０が設けられるが、この固定機構３０においては、本体１１の下死点、すなわち鋸刃１５のテーブル３からの突出量（切込量）が調整可能となっている。以下、この固定機構３０について詳細に説明する。
【００１４】
図４，５にも示すように、支持アーム９の左側面には、支軸１０の端部が突出し、その突出端部２１に揺動アーム３１が上下方向で回転可能に軸着されている。この揺動アーム３１は、両自由端の一方が長アーム３２、他方が短アーム３３となるへの字状の棒状体で、両アーム３２，３３が繋がる折曲部が回転中心となっている。また、短アーム３３の先端には、ロックピン３４が、支持アーム９側へ向けて出没可能且つ回転可能に設けられると共に、ロックピン３４に外装されたコイルバネ３５により、支持アーム９側への突出方向へ付勢されている。
【００１５】
但し、ロックピン３４における短アーム３３の外面側には、ストッパピン３６が直交状に挿着される一方、短アーム３３の外面には、ロックピン３４の挿入孔を中心にして直交状に交差し、深さが異なる溝３７ａ，３７ｂが第一、第二の干渉部として形成されており、この溝３７ａ，３７ｂに、ストッパピン３６がロックピン３４の所定の回転位置で嵌合可能となっている。すなわち、ストッパピン３６が深い方の溝３７ａに嵌合するロックピン３４の第一の回転位置では、図４に実線で示すように、ロックピン３４は短アーム３３を貫通して先端が支持アーム９側へ突出する前進位置にあり、そこから９０°回転してストッパピン３６が浅い方の溝３７ｂに嵌合するロックピン３４の第二の回転位置では、同図に二点鎖線で示すように、ロックピン３４は先端が短アーム３３内に没入する後退位置にある。３８は、ロックピン３４の端部に固着されるロックピン３４の操作用のボールである。
【００１６】
そして、揺動アーム３１における長アーム３２の先端と、本体１１側のブレードカバー１２との間には、調節ロッド３９が架設されている。この調節ロッド３９は、ブレードカバー１２へ端部がボルト４１によって回転可能に軸着されるねじスリーブ４０と、そのねじスリーブ４０に同軸で螺合し、端部にノブ４３を一体に備えたねじロッド４２と、ねじロッド４２が遊挿し、長アーム３２の先端に軸着される連結スリーブ４４とからなる。ねじロッド４２における連結スリーブ４４への遊挿部分には、小径部４６が形成され、その小径部４６に、スリーブ４７を介して長アーム３２の先端へ回転可能に保持されるボルト４５の先端が嵌合して、連結スリーブ４４の軸着と共に、ねじロッド４２の軸方向への移動を規制している。４８，４８・・は、ねじロッド４２の外周にその半径方向で形成された孔に嵌入し、連結スリーブ４４内でのねじロッド４２の回転をガイドする球状のコロである。
【００１７】
なお、ここでのボルト４１は、支軸１０と鋸刃１５の回転中心とを結ぶ直線よりも上側にあって、且つ鋸刃１５の回転中心よりも支軸１０に近い位置に設定されている。また、支持アーム９の左側面で後方寄りには、本体１１の下死点で揺動アーム３１のロックピン３４の位置に対応し、ロックピン３４が前進位置で係合可能な被係合部としてのロック孔２２が凹設されている。
このような固定機構３０の構成により、本体１１が上下動すると、調節ロッド３９と揺動アーム３１とが追従して支軸１０を中心に回転することになる。
【００１８】
以上の如く構成されたフリップオーバーソー１においては、まず、マイタソーとして使用する場合、図１〜３のように鋸刃ユニット４を上にした状態でテーブル３をストッパ機構６で固定し、ロックピン３４を、ストッパピン３６が溝３７ｂに嵌合する第二の回転位置にセットする。よって、この状態でハンドル１４を把持して鋸刃１５を回転させながら本体１１を下降させれば、ターンテーブル７上にセットした被切断材を切断可能となり、本体１１の傾動で傾斜切断が、ターンテーブル７の水平回転で角度切断が夫々行える。このとき、本体１１の下降に伴う揺動アーム３１の回転で、ロックピン３４がロック孔２２の位置に達することがあっても、ロックピン３４は後退位置にあるため、ロック孔２２に嵌合しない。よって、被切断材を切断した後、ハンドル１４への押し下げ力を弱めるか、或いはハンドル１４から手を離すかすると、本体１１が上死点まで復帰する。
【００１９】
一方、テーブルソーとして使用する場合、まず、鋸刃ユニット４が上にあるテーブル３の位置で、ロックピン３４を、ストッパピン３６が溝３７ａに嵌合可能な第一の回転位置にセットする。このとき、ロックピン３４はコイルバネ３５の付勢により前進位置へ移動しようとするが、先端が支持アーム９の外面に当接するため突出は規制される。この状態で本体１１を下降させると、揺動アーム３１の回転に伴ってロックピン３４が支持アーム９の外面を摺動し、本体１１の下死点でロックピン３４がロック孔２２に達すると、前進位置へ突出してロック孔２２に係合し、揺動アーム３１の回転をロックする。ここで鋸刃１５はターンテーブル７を貫通してテーブル３の裏側へ突出する状態となる。
【００２０】
この揺動アーム３１のロックにより、固定機構３０で回転できる部材は調節ロッド３９のみとなる。しかし、調節ロッド３９の一端は、前述のように鋸刃１５の中心よりも上方にあり、他端も、揺動アーム３１のロック姿勢によって支軸１０よりも上方に位置するため、この状態でハンドル１４から手を離しても、支軸１０を回転中心とする本体１１は、調節ロッド３９によって上から押さえ付けられる格好となってそのまま下死点で固定される。後は、図６のようにテーブル３を１８０°反転させればテーブルソーとして使用可能となる。
そして、鋸刃１５の突出量を調整する場合、ノブ４３を把持してねじロッド４２を回転させると、これに螺合するねじスリーブ４０が軸方向へねじ送りされる。すなわち、ボルト４５を固定中心として調節ロッド３９の長さが変更することになるため、図５に矢印で示すように本体１１が回転し、テーブル３からの鋸刃１５の突出量（寸法Ａ）が増減する。なお、この突出量の調整は、テーブル３の反転前でも後でも行える。
【００２１】
このように、上記形態のフリップオーバーソー１によれば、固定機構３０を、支持アーム９へ上下方向で回転可能に連結されて両端が自由端となる揺動アーム３１と、その揺動アーム３１の一方の自由端に一端が回転可能に連結され、他端が、支軸１０と鋸刃１５の中心とを結ぶ直線よりも上方位置で回転可能に連結されて軸方向の長さを変更可能な調節ロッド３９と、揺動アーム３１の他方の自由端に出没可能に設けられ、本体１１の下死点での突出によりロック孔２２に係合可能なロックピン３４とから形成して、ロックピン３４とロック孔２２との係脱の選択によってマイタソーとテーブルソーとの使用を切替可能とする一方、調節ロッド３９の長さの変更により、テーブルソーでの鋸刃１５の突出量を調整可能としたことで、本体１１の下死点でのロックが、調節ロッド３９とは別に揺動アーム３１と支持アーム９との間で行われる。よって、調節ロッド３９に余計な構成が付加されず、揺動アーム３１自体も簡単な軸着構造で足り、構成が簡略化してコストアップも少なくなる。また、揺動アーム３１は、本体１１の上下動に伴う単純な回転動作で支持アーム９に係脱できるため、揺動アーム３１や調節ロッド３９の動作がスムーズとなり、良好な動作性も確保可能となる。
【００２２】
さらに、ロックピン３４を揺動アーム３１内で回転可能に設けてコイルバネ３５によって支持アーム９側への突出方向へ付勢する一方、揺動アーム３１に、ロックピン３４の第一の回転位置での干渉により揺動アーム３１からの突出を許容する溝３７ａと、ロックピン３４の第二の回転位置での干渉により揺動アーム３１からの突出を規制する溝３７ｂとを設けて、ロックピン３４の２つの回転位置への切替操作によってロック孔２２との係脱を選択可能としたことで、ロックピン３４の第一の回転位置では本体１１の下死点で自動的にロックピン３４がロック孔２２に係合してロックがなされる。よって、マイタソーとテーブルソーとの切替がロックピン３４の回転操作のみで済み、切替操作が簡単になって使い勝手に優れる。
【００２３】
そして、調節ロッド３９を、ねじスリーブ４０と、そのねじスリーブ４０へ同軸で螺合されるねじロッド４２とから形成して、ねじロッド４２の回転操作で軸方向の長さを変更可能とする一方、揺動アーム３１の長アーム３２に設けた連結スリーブ４４にねじロッド４２を回転可能且つ軸方向への移動を規制した状態で遊挿させることで、調節ロッド３９と揺動アーム３１とを連結すると共に、連結スリーブ４４内に、ねじロッド４２の外面で半径方向に形成された孔に嵌入してねじロッド４２の回転をガイドするコロ４８，４８を設けたことで、調節ロッド３９の長さを変更する際のねじロッド４２の回転がコロ４８，４８によってスムーズにガイドされ、良好な操作性が確保できる。
【００２４】
なお、固定機構は、上記形態の構造に限らず、調節ロッドではねじスリーブとねじロッドとを逆に連結しても良いし、揺動アームとの連結も、連結スリーブを用いずに揺動アームへ直接軸着しても良い。また、揺動アームはへの字状に限らず、支持アームの形状等に応じて直線状とすることもできる。同様に、連結スリーブ内に設けるコロは球状に限らず、円柱状でも良いし、数も一対以外に３つ以上配置することもできる。
さらに、ロックピン３４をコイルバネ３５によって突出方向へ付勢してロック孔２２との係合を得ているが、コイルバネに限らず、板バネや弾性体等を使用しても差し支えない。一方、このような付勢手段をなくして、ロックピンの前進と後退とを手動で切り替えるようにすることもできる。
その他、フリップオーバーソー自体の構造も上記形態に限らず、本体が左右両方へ傾動できるものや、逆に傾斜切断や角度切断ができない構造であっても本発明自体は適用可能である。
【図面の簡単な説明】
【００２５】
【図１】フリップオーバーソーの全体図である（マイタソー状態）。
【図２】フリップオーバーソーの平面図である。
【図３】鋸刃ユニットの説明図である。
【図４】固定機構の説明図である。
【図５】下死点でのロック状態を示す説明図である。
【図６】テーブルソー状態を示す説明図である。
【符号の説明】
【００２６】
１‥フリップオーバーソー、２‥ベース、３‥テーブル、４‥鋸刃ユニット、７‥ターンテーブル、９‥支持アーム、１０‥支軸、１１‥本体、１２‥ブレードカバー、１５‥鋸刃、２２‥ロック孔、３０‥固定機構、３１‥揺動アーム、３２‥長アーム、３３‥短アーム、３４‥ロックピン、３６‥ストッパピン、３７ａ，３７ｂ‥溝、３９‥調節ロッド、４０‥ねじスリーブ、４２‥ねじロッド、４４‥連結スリーブ。
【図１】
2006044066.tif 000003
【図２】
2006044066.tif 000004
【図３】
2006044066.tif 000005
【図４】
2006044066.tif 000006
【図５】
2006044066.tif 000007
【図６】
2006044066.tif 000008